(57)【要約】【課題】スーパーマーケットなどの量販店に常備され、不特定多数の多種多様の車椅子に対応できる共通の車椅子用の買いもの籠を載せる台を提供することを目的とし、１種類の買いもの籠を載せる台がどんな車椅子にも前作業なしに簡単で確実に取り付くようにする。【解決手段】車椅子の片側の肘掛に固定される片持ち梁によって支持し、座席前方に脱着が容易な買いもの籠を載せる台を提供するもので、車椅子の両側ではなく片側の肘掛だけで台の片側を車椅子に固定し、反対側の肘掛の上に台を載せるだけにすることで肘掛の内内寸法の異なる種々の車椅子に取り付けることが出来るようにする。製品は１本のパイプに曲げ加工を施しただけのもので使いやすさは勿論のこと強度的にも値段的にも優れている。【選択図】  図４
0003131311.tif 000002
【実用新案登録請求の範囲】
【請求項１】
車椅子の片側の肘掛に固定される片持ち梁によって支持される買いもの籠を載せる台を座席前方に提供するもので、片持ち梁の構造を取り付け部端部側に車椅子の肘掛の下からあてがう当りと取り付け部前部側に肘掛の上に載る当りだけで肘掛に固定する構造とすることで、買いもの籠を載せる台に買い物を載せた時に先端部が下がる動きを止めるだけでなく、先端部を持ち上げたり下げたりして簡単に脱着できるようにし、片持ち梁前後の当たりに立ち上がりを付けることによって買いもの籠を載せる台の水平方向の動きも止めるようにし、車椅子の両側ではなく片側の肘掛だけで買いもの籠を載せる台を車椅子に固定し片持ち梁の反対側の買いもの籠を載せる台は単に肘掛の上に載せるだけにすることを特徴とし、肘掛の内内寸法の異なる種々の車椅子に取り付けることが出来る車椅子用の買いもの籠を載せる台
【考案の詳細な説明】
【技術分野】
【０００１】
本考案は車椅子用の買いもの籠を載せる台に関する。
【背景技術】
【０００２】
車椅子利用者が買いものをする際、買いもの籠を介助者が持ったり、車椅子に乗っている人の膝の上に買いもの籠を乗せたりしないように、車椅子に買いもの籠を載せる台を取り付けるものがある（例えば特許文献１参照）。また食事時その他の用途のために車椅子前部に脱着可能なテーブルを取り付けるものもある（例えば特許文献２参照）。
【特許文献１】実案登録第３１２５３９５号
【特許文献２】実願２００６−００５２３１
【考案の開示】
【考案が解決しようとする課題】
【０００３】
本考案はスーパーマーケットなどの量販店に常備される車椅子用の買いもの籠を載せる台で、不特定多数の多種多様の車椅子に対応できる共通の車椅子用の買いもの籠を載せる台を提供することを目的とする。従来の車椅子用の買いもの籠を載せる台は特定の車椅子にだけに取り付くもので、両側の肘掛け部に取り付けるため車椅子によって異なる両側の肘掛け部の間隔の寸法に、車椅子用の買いもの籠を載せる台の幅をあわせる調整が必要であった。スーパーマーケットなどの量販店では１種類の買いもの籠を載せる台がどんな車椅子にも前作業なしに簡単で確実に取り付く必要がある。
【課題を解決するための手段】
【０００４】
買いもの籠を載せる台の片側に取り付く片持ち梁は取り付け部の端部側に車椅子の肘掛の下からあてがう当りが取り付き、取り付け部の台側には肘掛の上に載る当りが取り付くもので、買いもの籠を載せる台を車椅子に取り付けるとき片側の片持ち梁を片側の肘掛に固定し、買いもの籠を載せる台の片持ち梁の反対側は残りの肘掛の上に乗るだけにする。片持ち梁に取り付く当たりは肘掛を上下に挟むものではなく片側からあてがわれるものであるので、買い物を載せたときに先端部が下がる動きをとめるだけでなく、先端部を持ち上げたり下げたりすれば簡単に脱着できる。また片持ち梁前後の当たりに立ち上がりを付けることによって買いもの籠を載せる台の水平方向の動きも止められ、買いもの籠を載せる台が車椅子から離れて地面に落下することを防止する。
【０００５】
買いもの籠を載せる台を車椅子の片側の肘掛に固定するので、両側の肘掛け部の間隔の寸法に関係なくどんな車椅子にも取り付けることが出来るようになる。
【考案の効果】
【０００６】
１種類の買いもの籠を載せる台がどんな車椅子にも前作業なしに簡単で確実に取り付く。
【考案を実施するための最良の形態】
【０００７】
図１（ａ）は買い物かごで、かごの底面が図１（ｂ）に示す買い物籠を載せる台（以下台）の平行なパイプ１，２の間にはまり込む。図１（ｂ）は車椅子から外した台の姿図で、台は鋼材で作り金属製の質感が冷たく感じ取られるのでポリエチレンなどの樹脂塗装を施すとよい。平行なパイプ１，２の間隔はスーパーマーケットの買い物籠にあわせて作られる。図１（ｃ）は車椅子に台を取り付けた姿図で、台の片方は肘掛を上と下から押さえて片もち梁状態で取り付き、他方は肘掛の上に載るだけである。
【０００８】
図２は図１に紹介した台の詳細図で、図２（ａ）は平面図、図２（ｂ）は側面図でイーイ矢視図、図２（ｃ）（ｄ）（ｅ）（ｆ）は部分詳細図で、それぞれローロ、ハーハ、ニーニ、ホーホ矢視図である。台は実線で表し車椅子の肘掛７と、その支持材８は点線で表す。台は１，２，３の鋼管を材料とする部品と、４，５，６のプレートを材料とする部品で構成され、部品詳細図で部品４，５，６は黒く塗りつぶして表わす。
【０００９】
１はＵ型に曲げられた鋼管で２は１に溶接取り付けされる。１と２は同一平面上にあって長方形を形どる。鋼管３は片持ち梁で図２（ｂ）（ｄ）（ｅ）に示すように１，２の下にあてがわれ１，２に溶接接合される。４は鋼管３の端部に取り付く平鋼板で、支持材８に下からあてがわれ、取り付け時に鋼管３が左右に動かないようにＶ型に曲げられている。５は鋼管１と３に橋渡しして溶接取り付けされる鋼板で、肘掛７の先端部の上に載せられ、取り付け時に鋼管３が左右に動かないように円弧状に曲げられる。肘掛の幅が違っても支持材８は４のＶ型の底に収まり肘掛７は円弧の頂点に収まる。
【００１０】
鋼管３は図２（ｂ）に示すように肘掛前部においてプレート５で肘掛７を上から押え、肘掛の奥においてプレート４で支持材８を下から押えるので、台の片側は片方の肘掛に固定される。台の先端を浮かせて取り外すことは出来ても、取り付け後に台の先端が沈むことはなく、台が椅子から外れることもない。プレート６は鋼材１と２の天端に溶接取り付けされ、台の他方は反対側の肘掛先端部の上に乗る。橋渡し材２の長さは予想される肘掛の最大幅Ｗに合わせて設計し、プレート６の長さＬ１は予想される肘掛の最小幅に合わせて設計する。このようにしてあらゆる大きさの車椅子に対応できる。
【００１１】
肘掛の厚みに対してはプレート４と５の間隔Ｌ２を大きくとることによって台の前後の勾配を少なくする。台は３点で支持されるので、台の片側に勾配が付いてもガタつくことはない。台に荷重がかかれば上下に動くことはないが、左右の動きは片側の肘掛を鋼管１と３で両側から挟むことで止められる。橋渡し材２が左右の肘掛の先端部にあてがえられれば、更に動かなくなる。
【００１２】
電動車椅子のように肘掛の支持材の下にプレートが貼り付けられ片持ち梁端部で支持材の下からあてがわれる金具が差し込めない場合は、差し込めたとしても掛かりが浅くまた金具に横方向の動きを止める立ち上がりを設けることが出来ないので、片持ち梁端部において支持材の下からあてがわれる金具のほかに上から締め付ける部品を追加して片持ち梁端部の横方向の動きを止める。
【００１３】
図３は図２の台を更に簡素にした台で、図３（ａ）は平面図、図３（ｂ）は側面図でイーイ矢視図、図３（ｃ）（ｄ）は部分詳細図で、それぞれローロ、ハーハ矢視図である。台は実線で表し、車椅子の肘掛７とその支持材８は点線で表す。点線で表す９は買い物籠の底部の断面を示す。台は一本の鋼管に曲げ加工を施したもので、ＡＢＣＤの各点をむすぶ長方形において辺ＡＢと辺ＣＤは平行で同一平面上にあり、図３（ｂ）に示すように買い物籠の底部９を支持する。辺ＤＥは辺ＡＢとＣＤの平面上になく、交点Ａにおいて図３（ｄ）に示すように鋼管ＡＢの下面と鋼管ＤＥの上面とが溶接接合される。
【００１４】
台は１本のパイプに曲げ加工を施しただけのもので、鋼管の両端で平板状に押しつぶされ折り曲げられる。図３（ｃ）に示すように鋼管の終点Ｅの部分４は図２の台に取り付く金具４のように肘掛の下に当たる。図３（ｄ）に示すように鋼管の始点Ａの部分５は図２の台に取り付く金具５のように肘掛の上に載る。
【００１５】
ともにＶ型に曲げられ、折れ曲げた線は肘掛の幅が違っても肘掛のセンターに一致し、図３（ａ）において同一直線Ｙ上にある。Ｖ型に曲げる寸法を大きくすると肘掛の幅が違うあらゆる車椅子に対応するが、片持ち梁のパイプと肘掛との間があいてくるので適当な大きさにとどめる。また４と５はプレート末端において垂直に曲げられ台が横方向に動いて車椅子から落ちないような当たりになる。  
【００１６】
鋼管の端部で平板状に押しつぶして押しつぶした平板部分をＶ型に折り曲げる加工はＡの部分ではＡの部分がＢの部分と十分離れているのでパイプの曲げ加工に先行することができるが、Ｅの部分ではＥの部分が４の部分と離れていないのでパイプの曲げ加工時にパイプの掴み部分を確保できないためＶ型に折り曲げる加工はパイプの曲げ加工の後に加工する。Ｅの部分でＶ型に折り曲げる加工をパイプの曲げ加工より先に加工する場合はパイプの曲げ加工位置を点Ｅからパイプの掴み部分の長さだけ離して点Ｆの位置に移す。
【００１７】
図４（ａ）は買い物かごで、かごの底面が図４（ｃ）に示す台の平行なパイプＡＢ，ＣＤの内内に嵌まり込む。図４（ｂ）はトレーで図４（ａ）に示した買い物かごの底面と同じく台の平行なパイプＡＢ，ＣＤの内内に嵌まり込む。買い物かごの底面とトレーの底面において底面と底面の周囲のパイプＡＢ，ＣＤの上に乗る部分には僅かな段差があって買い物かごやトレーが横方向に動かないようにする。
【００１８】
図４（ｃ）は車椅子から外した台の姿図で平行なパイプＡＢ，ＣＤの間隔はスーパーマーケットの買い物籠の寸法にあわせて作られる。トレーは台の寸法にあわせて作られる。図４（ｄ）は車椅子に台を取り付けた姿図で、台の片方は肘掛を上と下から押さえて片もち梁状態で取り付き、他方は肘掛の上に載るだけである。
【００１９】
トレーは台から取り外して食器と一緒に洗うことが出来、このトレーを載せた台を車椅子に取り付けて日常生活をしても、トレーがほとんど膝の上で車椅子の前方にとび出さないので邪魔になることはなく、健常者と同様に物を自由に持ち運び出来るようになり、また疲れた腕をトレーの上において休めることも出来る。
【００２０】
図５は車椅子の肘掛の間隔Ｗ１にあわせて変形する台で、図５（ａ）は平面図、図５（ｂ）は側面図でイーイ矢視図、図５（ｃ）（ｄ）（ｅ）は部分詳細図で、それぞれローロ、ハーハ、ニーニ、矢視図で、ロ部、ハ部、二部の詳細図である。台は実線で表し車椅子の肘掛７と、その支持材８は点線で表す。点線で表す９は買い物籠の底部の断面を示す。台は１，２，３の鋼管を材料とする部品と、４，５，のプレートを材料とする部品で構成され、部品詳細図で部品４，５，は黒く塗りつぶして表わす。
【００２１】
１は端部を半円形に曲げ加工して全体としてＵ型に曲げられた鋼管で、２は１に溶接取り付けされ、１と２は同一平面上にあって長方形を形どる。図５（ｂ）に示すように鋼管２とそれに平行する１の横方向の鋼管部分で買い物籠の底部９を支持する。鋼管３は図５（ｂ）（ｄ）（ｅ）に示すように１，２の下にあてがわれ図５（ｃ）に示すようにロ部において貫通ボルト１０でボルト接合され、図５（ｄ）に示すようにハ部で金具５の長穴を貫通し長穴内を左右に動くので、左右の鋼管３の間隔Ｗ２は自由に変えることができ、図４（ｅ）に示すようにあらゆる間隔の肘掛の下に金具４をあてがうことができる。
【図面の簡単な説明】
【００２２】
【図１】車椅子肘掛に台を取り付けた状態図
【図２】台の詳細図
【図３】最も簡素な台の詳細図
【図４】車椅子肘掛に図３の台を取り付けた状態図
【図５】変形する台の詳細図
【符号の説明】
【００２３】
１    台の外周の鋼管材
２    台の外周の鋼管材をつなぐ鋼管材
３    片持ち梁部分
４    片持ち梁取り付け部末端の金具
５    片持ち梁取り付け部先端の金具
６    金具４
７    車椅子の肘掛
８    車椅子の肘掛を支持する部材
９    買い物籠の底の部分
１０  貫通ボルト
【図１】
0003131311.tif 000003
【図２】
0003131311.tif 000004
【図３】
0003131311.tif 000005
【図４】
0003131311.tif 000006
【図５】
0003131311.tif 000007
【手続補正書】
【提出日】平成19年1月4日(2007.1.4)
【手続補正１】
【補正対象書類名】実用新案登録請求の範囲
【補正対象項目名】全文
【補正方法】変更
【補正の内容】
【実用新案登録請求の範囲】
【請求項１】
長辺の2辺が平行で同一平面上にある長方形の台の部分と、長方形の短辺の一辺を延長した取付け部分からなるＰ形の形状で、取付け部分先端が車椅子の片方の肘掛に下からあてがわれ、長方形の台の部分が車椅子の両方の肘掛に乗る構造の、車椅子の座席前方に提供される台
【請求項２】
長方形の台の部分と、長方形の座席側の長辺の台の部分に施された長穴内を貫通し、長方形の座席と反対側の長辺の回転可能な接続軸に片方の端部が接続され、他方の端部が車椅子の肘掛に下からあてがわれる２本の取り付け部分からなる、車椅子の座席前方に提供される台
【手続補正２】
【補正対象書類名】明細書
【補正対象項目名】００１３
【補正方法】変更
【補正の内容】
【００１３】
図３は図２の台を更に簡素にした台で、図３（ａ）は平面図、図３（ｂ）は側面図でイーイ矢視図、図３（ｃ）（ｄ）は部分詳細図で、それぞれローロ、ハーハ矢視図である。台は実線で表し、車椅子の肘掛７とその支持材８は点線で表す。点線で表す９は買い物籠の底部の断面を示す。台は一本の鋼管に曲げ加工を施したもので、ＡＢＣＤの各点をむすぶ長方形において辺ＡＢと辺ＣＤは平行で同一平面上にあり、図３（ｂ）に示すように買い物籠の底部９を支持する。買い物籠の底を受ける梁材１１は辺ＡＢと辺ＣＤの下面に溶接接合され、買い物籠の底部９の片側が辺ＡＢと辺ＣＤの上に乗らない場合に、買い物籠が傾かないように買い物籠の底部９を下から支える。辺ＤＥは辺ＡＢとＣＤの平面上になく、交点Ａにおいて図３（ｄ）に示すように鋼管ＡＢの下面と鋼管ＤＥの上面とが溶接接合される。
【手続補正３】
【補正対象書類名】明細書
【補正対象項目名】００２３
【補正方法】変更
【補正の内容】
【００２３】
１    台の外周の鋼管材
２    台の外周の鋼管材をつなぐ鋼管材
３    片持ち梁部分
４    片持ち梁取り付け部末端の金具
５    片持ち梁取り付け部先端の金具
６    金具４
７    車椅子の肘掛
８    車椅子の肘掛を支持する部材
９    買い物籠の底の部分
１０  貫通ボルト
１１  買い物籠の底を受ける梁材
【手続補正４】
【補正対象書類名】図面
【補正対象項目名】図３
【補正方法】変更
【補正の内容】
【図３】
0003131311.tif 000008